(57)【要約】【課題】綴じ器具によって紙を綴じた上で、さらに他の任意の手段で綴じてファイルを管理できるようにして利便性を向上すること。【解決手段】紙などに設けられた２つの綴じ穴に対応する開口部を有する第１の開口部材１１＿１，１１＿２を設け、開口部材１１＿１と開口部材１１＿２との間に第３の綴じ穴を形成可能な領域Ａ１を開けて接続部材１２で接続することで、綴じ器具１で紙束を綴じた上で、さらに他の手段で綴じることが出来る。【選択図】図１
2011189722.tif 000002
【特許請求の範囲】
【請求項１】
少なくとも第１の綴じ穴と第２の綴じ穴とが設けられた対象物を綴じる綴じ器具であって、
前記第１の綴じ穴に対応する開口部を有する第１の開口部材と、
前記第２の綴じ穴に対応する開口部を有する第２の開口部材と、
前記第１の開口部材と前記第２の開口部材との間に第３の綴じ穴を形成可能な領域を開けて前記第１の開口部材と前記第２の開口部材とを接続する接続部材と、
前記第１の綴じ穴および前記第１の開口部材に挿通する第１の挿通部材と、
前記第２の綴じ穴および前記第２の開口部材に挿通する第２の挿通部材と、
を備えたことを特徴とする綴じ器具。
【発明の詳細な説明】
【技術分野】
【０００１】  本発明は、紙などを綴じる綴じ器具に関する。
【背景技術】
【０００２】  従来、紙などを綴じる際に、綴じる対象である対象物に穴を開け、金具などの留め具で止めることが行なわれてきた。日本では、主に２つの穴によって綴じることが多く、事務用あなあけ器が日本工業規格（ＪＩＳ：Ｊａｐａｎｅｓｅ  Ｉｎｄｕｓｔｒｉａｌ  Ｓｔａｎｄａｒｄｓ）に標準化されている。また、アメリカの規格であるＡＮＳ（Ａｍｅｒｉｃａｎ  Ｎａｔｉｏｎａｌ  Ｓｔａｎｄａｒｄｓ）など、３以上の穴を用いる規格も存在する。【０００３】  ＪＩＳの事務用あなあけ器は、抜きあなピッチの寸法が８０±０．５ｍｍ、抜きあな径が６±０．５ｍｍ、奥行が１２±１．０ｍｍである。そこで、かかる事務用あなあけ器を使用することを想定し、対応する間隔と大きさで留め具を配置したバインダーやファイルが広く利用されている。
【先行技術文献】
【非特許文献】
【０００４】
【非特許文献１】ＪＩＳ  Ｓ６０４１−１９８２
【発明の概要】
【発明が解決しようとする課題】
【０００５】  本発明は、紙などの対象物を綴じた際の利便性を向上することを課題とする。
【課題を解決するための手段】
【０００６】  本発明にかかる綴じ器具は、少なくとも第１の綴じ穴と第２の綴じ穴とが設けられた対象物を綴じる綴じ器具であって、前記第１の綴じ穴に対応する開口部を有する第１の開口部材と、前記第２の綴じ穴に対応する開口部を有する第２の開口部材と、前記第１の開口部材と前記第２の開口部材との間に第３の綴じ穴を形成可能な領域を開けて前記第１の開口部材と前記第２の開口部材とを接続する接続部材と、前記第１の綴じ穴および前記第１の開口部材に挿通する第１の挿通部材と、前記第２の綴じ穴および前記第２の開口部材に挿通する第２の挿通部材と、を備える。
【発明の効果】
【０００７】  本願の開示する綴じ器具によって紙を綴じた上で、さらに他の任意の手段で綴じてファイルを管理でき、利便性が向上する。
【図面の簡単な説明】
【０００８】
【図１】  図１は、綴じ器具１の形状を説明する図である。
【図２】  図２は、綴じ器具１により紙束Ｐ１を綴じた状態の説明図である。
【図３】  図３は、綴じ器具１により紙束Ｐ１を綴じた状態の説明図である。
【図４】  図４は、綴じ器具１で綴じた紙束Ｐ１をさらに綴じた状態の説明図である。
【図５】  図５は、綴じ器具のバリエーションの説明図である（その１）
【図６】  図６は、綴じ器具のバリエーションの説明図である（その２）
【図７】  図７は、綴じ器具のバリエーションの説明図である（その３）
【図８】  図８は、綴じ器具のバリエーションの説明図である（その４）
【図９】  図９は、綴じ器具のバリエーションの説明図である（その５）
【発明を実施するための形態】
【０００９】  以下に、本発明を実施する形態の具体例として、いくつかの実施例を説明する。
【実施例】
【００１０】  図１は、本発明の好適な実施例である綴じ器具１の形状を説明する図であり、図２および図３は、綴じ器具１により紙束Ｐ１を綴じた状態の説明図である。【００１１】  図１〜図３に示したように、紙束Ｐ１には、ＪＩＳ規格Ｓ６０４１−１９８２に従って、第１の綴じ穴である綴じ穴Ｈ１と第２の綴じ穴である綴じ穴Ｈ２を設けている。従って、綴じ穴Ｈ１と綴じ穴Ｈ２は、ピッチ（綴じ穴Ｈ１と綴じ穴Ｈ２との距離）が８０ｍｍ程度、径が６ｍｍ程度、紙束Ｐ１の縁からの距離が１２±１．０ｍｍ程度である。【００１２】  また、図１〜図３に示したように、綴じ器具１は、第１の綴じ穴Ｈ１に対応する開口部を有する第１の開口部材１１＿１と、第２の綴じ穴Ｈ２に対応する開口部を有する第２の開口部材１１＿２を有する。開口部材１１＿１の開口部が綴じ穴Ｈ１に対応し、開口部材１１＿２の開口部が綴じ穴Ｈ２に対応するので、開口部材１１＿１，２の開口部の間の距離（ピッチ）は８０ｍｍ程度、開口部の径は６ｍｍ以上である。【００１３】  また、綴じ器具１は、第１の開口部材１１＿１と第２の開口部材１１＿２との間に第３の綴じ穴を形成可能な領域Ａ１を開けて第１の開口部材１１＿１と第２の開口部材１１＿２とを接続する接続部材１２を有する。【００１４】  また、綴じ器具１は、開口部１１＿１から延びる第１の挿通部材１３＿１と、開口部１１＿２から延びる第１の挿通部材１３＿２とを有する。【００１５】  そして、図２および図３に示したように、挿通部材１３＿１を綴じ穴Ｈ１と第１の開口部材１１＿１に挿通し、挿通部材１３＿２を第２の綴じ穴Ｈ２および第２の開口部材１１＿２に挿通することで、綴じ器具１は、紙束Ｐ１を綴じることができる。【００１６】  図２および図３に示した状態を保持するため、綴じ器具１１の素材は、例えば板金や樹脂などすればよい。【００１７】  このように、綴じ器具１は、紙束Ｐ１を綴じることができるのに加え、図２に示したように領域Ａ１にさらに第３の綴じ穴Ｈ３を形成することができる。図２に示した第３の綴じ穴Ｈ３と第４の綴じ穴Ｈ４とは、ＪＩＳ規格Ｓ６０４１−１９８２に従って開けられた穴であり、綴じ穴Ｈ３と綴じ穴Ｈ４は、ピッチ（綴じ穴Ｈ３と綴じ穴Ｈ４との距離）が８０ｍｍ程度、径が６ｍｍ程度、紙束Ｐ１の縁からの距離が１２±１．０ｍｍ程度である。【００１８】  したがって、図４に示したように、紙束Ｐ１〜Ｐ３をそれぞれ綴じ器具１で綴じた後、綴じ穴Ｈ３，Ｈ４を通してバインダー金具Ｂ１，Ｂ２を連結することにより、さらに綴じる事ができる。【００１９】  すなわち、ＪＩＳ規格の事務用あなあけ器を用いて綴じ穴Ｈ１，Ｈ２の組み合わせと、綴じ穴Ｈ３，Ｈ４の組み合わせの二組の二穴を開け、綴じ器具１によるファイルと、市販の任意のファイルとで階層化して紙束を管理することが可能となる。【００２０】  このように、本願発明は、既存の事務用あなあけ器を利用し、紙束の階層化した管理という新たな利便性を提供する効果を有する。また、ステープラーや任意のクリップなどを組み合わせて用いることで、さらに階層化可能であることは言うまでもない。【００２１】  領域Ａ１の幅ｗｉは、第３の綴じ穴Ｈ３を開ける関係から、６ｍｍ以上である。事務用あなあ��器によっては、紙束Ｐ１の縁からの距離を１０〜１４ｍｍなどのように所定の範囲で変更可能なものがある。そこで、綴じ穴Ｈ１，Ｈ２を縁から１０ｍｍ、綴じ穴Ｈ３，Ｈ４を縁から１４ｍｍで開けた場合であっても、綴じ穴Ｈ１，Ｈ２を縁から１４ｍｍ、綴じ穴Ｈ３，Ｈ４を縁から１０ｍｍで開けた場合であっても、接続部材１２と干渉することのないよう領域Ａ１の幅ｗｉを６＋４＋４の１４ｍｍ以上としてもよい。【００２２】  続いて、綴じ器具の形状のバリエーションについて説明する。図５に示した綴じ器具２は、２つの開口部材２１にそれぞれ挿通部材２３を設けるとともに、２つの開口部材２１の間を１本の接続部材２２で接続している。接続部材２２は、紙束の縁から遠い側に設けられており、２つの開口部材２１の間に第３の綴じ穴を開けることが出来る。【００２３】  同様に、図５に示した綴じ器具３は、２つの開口部材３１にそれぞれ挿通部材３３を設けるとともに、２つの開口部材３１の間を１本の接続部材３２で接続している。接続部材３２は、紙束の縁に近い側に設けられており、２つの開口部材２１の間に第３の綴じ穴を開けることが出来る。【００２４】  綴じ器具２，３に示したように、第３の綴じ穴を形成するための領域は、必ずしも周囲を囲む必要は無く、第３の綴じ穴に干渉しなければ任意の形状を取ることができる。【００２５】  図６に示した綴じ器具４は、２つの開口部材４１にそれぞれ挿通部材４３を設けるとともに、２つの開口部材４１の間を２本の接続部材４２で接続している。加えて、開口部材４１にガイド４４を設け、ガイド４４にそってスライドして開口部材４１の開口部を塞ぐ、もしくは開口部を狭めることのできるスライド部材４５を有する。【００２６】  綴じ器具４は、挿通部材４３を開口部に挿通した状態で、スライド部材４５をスライドさせることで、紙束を綴じた状態で固定することができる。また、スライド部材４５を戻すことで簡易に取り外しが可能であり、繰り返し使用する場合に適している。【００２７】  また、綴じ器具４は、挿通部材４３を外側に曲げて固定する形状であるが、図７に示した綴じ器具５のように挿通部材４３の双方を内側に曲げて固定する形状や、綴じ器具６のように挿通部材４３の一方を外側に、他方を内側に曲げて固定する形状とすることもできる。【００２８】  図８に示した綴じ器具７は、紙束の縁に相当する位置に接続部材７２を設けて２つの開口部材７１を接続し、接続部材７２から２本の挿通部材７３を延ばした形状である。加えて、接続部材７２は、紙束の縁に沿うよう角度を設けている。【００２９】  図９に示した綴じ器具８は、２つの開口部材８１にそれぞれ挿通部材８３を設けるとともに、２つの開口部材８１の間を１本の接続部材８２で接続している。この綴じ器具８は、開口部材８１が開口部の周囲を完全には囲っていない点が既に説明した綴じ器具２と異なる特徴である。このように、開口部の周囲を完全に囲う必要は必ずしも無く、挿通部材８３を相通した状態で固定できれば足りる。【００３０】  以上説明したように、本発明を適用した綴じ器具１〜８は、綴じ穴に対応する開口部を接続部材で接続する際に、開口部の間にさらに綴じ穴を設けることが出来る形状を有することで、綴��器具１〜８で綴じた紙束をさらに別のバインダーやファイルで綴じることが出来る。【００３１】  なお、本実施例に試した形状はあくまで一例であり、挿通部材や接続部材の配置や形状、開口部材の形状、開口部の形状など適宜変更して実施可能である。また、本実施例では、ＪＩＳ規格Ｓ６０４１−１９８２を例に説明を行なったが、任意の規格に適用することができるものであり、例えば３以上の綴じ穴を有する規格に対しても適用可能である。
【産業上の利用可能性】
【００３２】  本発明は、紙など綴じ穴によって綴じることが可能な対象物のファイリングに利用できる。
【符号の説明】
【００３３】１〜８  綴じ器具
１１＿１，１１＿２，２１，３１，４１，７１，８１  開口部材
１２，２２，３２，４２，７２，８２  接続部材
１３＿，１３＿２，２３，３３，４３，７３，８３  挿通部材
４４  ガイド
４５  スライド部材
Ａ１  領域
Ｂ１〜２  バインダー金具
Ｈ１〜４  綴じ穴
Ｐ１〜３  紙束
【図１】
2011189722.tif 000003
【図２】
2011189722.tif 000004
【図３】
2011189722.tif 000005
【図４】
2011189722.tif 000006
【図５】
2011189722.tif 000007
【図６】
2011189722.tif 000008
【図７】
2011189722.tif 000009
【図８】
2011189722.tif 000010
【図９】
2011189722.tif 000011